(57)【要約】【課題】照準光により読取可能範囲を明示する非接触電子タグ読取装置において、読取作業を簡単化する。【解決手段】アンテナユニット１のプロジェクタ３で、アンテナ２の指向性軸と一致する光軸の照準光を、電子タグ５が貼付された対象物に投射する。利用者は、プロジェクタ３の照準光を電子タグ５に合わせる。照準光は、タグ読取範囲を示すことになる。アンテナ２から電子タグ５に電波を送信して、電子タグ５を駆動する。制御装置４の制御により、アンテナユニット１で電子タグ５と無線で通信して、非接触で電子タグ５のデータを読み取る。プロジェクタ３は、電子タグ５のデータを対象物上のタグ読取範囲に映写表示する。電子タグ５までの距離を測定して、交信可能範囲にあるときのみ、プロジェクタ３の照準光の焦点を対象物に合わせて点灯してもよい。【選択図】図１
2009169595.tif 000002
【特許請求の範囲】
【請求項１】
対象物に貼付された電子タグと無線で通信するためのアンテナユニットと、前記アンテナユニットを制御する制御装置とを具備し、非接触で前記電子タグのデータを読み取る非接触電子タグ読取装置において、前記アンテナユニットは、前記電子タグに電波を送信するとともに前記電子タグからの電波を受信するための指向性のあるアンテナと、前記アンテナの指向性軸と並行するか、または、一致する光軸の照準光を投射するプロジェクタとを備え、前記プロジェクタは、前記電子タグのデータを前記対象物上に映写表示するための手段を備えることを特徴とする非接触電子タグ読取装置。
【請求項２】
前記アンテナユニットは、前記電子タグとの距離を測定する測距装置を備え、前記制御装置は、前記測距装置から距離情報を取得する手段と、前記プロジェクタの点灯消灯を前記距離に応じて制御する手段とを備えることを特徴とする請求項１記載の非接触電子タグ読取装置。
【請求項３】
前記プロジェクタは、前記照準光の焦点を前記対象物上に合わせるための合焦装置を備え、前記制御装置は、前記合焦装置を前記距離に従って制御して焦点を合わせる手段を備えることを特徴とする請求項２に記載の非接触電子タグ読取装置。
【請求項４】
前記アンテナユニットは、操作者の頭部に固定するためのヘルメットを備えることを特徴とする請求項３に記載の非接触電子タグ読取装置。
【発明の詳細な説明】
【技術分野】
【０００１】
本発明は、非接触電子タグ読取装置に関し、特に、アンテナの照準を電子タグに合わせるためのプロジェクタによりタグデータを映写表示する非接触電子タグ読取装置に関する。
【背景技術】
【０００２】
従来、非接触でデータを読み書きできる電子タグ（ICタグ）が広く利用されている。電子タグは、バーコードとは異なり、光を当てて読み書きするわけではないので、電子タグとリーダライタの位置関係を目で見て決めることが困難な場合がある。その解決法として、リーダライタから照準用の光を電子タグに当てる方法がある。以下に、これに関連する従来技術の例をあげる。
【０００３】
特許文献１に開示された「非接触式データ読み書き装置」は、RFIDタグを簡単確実に読み書きできる低コストのリーダライタである。RFIDタグを取り付けた物体の表面に、RFIDタグ位置を示す外側標識と内側標識とを描いて、読み書き処理が確実にできる環状領域を示しておく。利用者がリーダライタを動かして、光源部からのスポット光をRFIDタグの環状領域に当てると、アンテナがRFIDタグの方向を向く。この状態で操作ボタンを押して、RFIDタグの読み書きを行う。
【０００４】
図５（ａ）に示すように、物体には、RFIDタグが貼付されている。RFIDタグには、表面に沿った円形スパイラル形状のタグアンテナがある。タグアンテナは、RFIDタグの内蔵アンテナである。物体の表面には、外側標識と内側標識が描かれている。外側標識は、RFIDタグより外側に描かれており、内側標識は、RFIDタグより内側に描かれている。外側標識と内側標識は、RFIDタグのタグアンテナに対応する環状領域を示している。環状領域にスポット光を当てれば、リーダライタにより確実にデータの読み書きができることを示す適正照射領域である。リーダライタには、装置回路とアンテナと光源部と操作ボタンがある。装置回路は、リーダライタの主要な機能を果たす回路である。アンテナは、RFIDタグを駆動する電波を送信するとともに、RFIDタグからの電波を受信するものである。光源部は、リーダライタの先端面に備えられており、円錐形の可視光線のスポット光を、アンテナの電波放射方向に投射するものである。操作ボタンは、利用者がリーダライタに読み書き開始を指示するものである。
【０００５】
図５（ｂ）に示すように、装置回路は、送受信部と信号処理部と入力操作部と出力表示部と中央処理部により構成されている。送受信部の一方にはアンテナが接続され、他方には信号処理部が接続されている。中央処理部から信号処理部を介して駆動指示を受けると、送受信部はアンテナを介して電波を送出して、誘導によりRFIDタグで電力を発生させる。信号処理部は、送受信部と中央処理部との間にあり、中央処理部からの送信信号を、符号化し変調して送受信部へ転送する。また、送受信部からの受信信号を、復調し復号して中央処理部へ転送する。入力操作部には、キーボードと機能ボタンがある。利用者の操作により、設定と指示を入力する。出力表示部は、リーダライタの状態や、入力操作部からの入力データや、中央処理部の処理結果などを表示する。中央処理部は、光源部と操作ボタンも制御する。
【０００６】
図５（ｃ）に示すように、利用者は入力操作部を使って、リーダライタにRFIDタグへの読み書き内容を設定する。リーダライタの先端を、RFIDタグに対応する物体表面上の外部標識に向けたのち、入力操作部を使って、読み書きの実行を指示する。リーダライタは、入力操作部からRFIDタグへの読み書き設定を受け付け、その後、読み書き実行の指示を受け付ける。リーダライタは、読み書き実行の指示を受け付けた際、先端の光源部から円錐形状にスポット光を投射する。利用者は、スポット光の照射位置を目視により確認しつつ、リーダライタを移動させ、スポット光の中心点を外側標識の中心点に合わせる。次いで、距離Ｄを調整して、スポット光の外周線を、外側標識と内側標識の間の環状領域（適性照射領域）に合わせる。スポット光の外周線が適性照射領域に落ち着いた際、利用者は、読み書きの処理実行を、操作ボタンの操作によりリーダライタに指示する。
【０００７】
リーダライタでは、読み書き処理の実行開始指示を受け付けると、中央処理部は信号処理部を駆動する。送受信部は、アンテナを介してRFIDタグに電波を送出する。このとき、リーダライタはRFIDタグに対して適切な位置にあるので、RFIDタグの読み書き処理を確実に実行できる。スポット光の外周線が環状領域外にある場合には、リーダライタでは読み書きが実行できないので、出力表示部に警告が表示される。こうして、簡単な構成のリーダライタで、RFIDタグの読み書きが確実にできる。
【特許文献１】特開2006-011839号公報
【発明の開示】
【発明が解決しようとする課題】
【０００８】
しかし、従来の電子タグの読み書き方法では、次のような問題がある。リーダライタの読取範囲が光で示されるので、利用者はそこを注視することになる。また、タグ情報は表示装置に表示されるので、利用者はそれを読むことになる。つまり、利用者は、タグ読取範囲とタグ情報を交互に見ることになるので、作業が煩雑になる。
【０００９】
本発明の目的は、上記従来の問題を解決して、電子タグの読取作業を簡単にできるようにすることである。
【課題を解決するための手段】
【００１０】
上記の課題を解決するために、本発明では、プロジェクタにより電子タグの読取範囲を示すとともに、タグ情報を映写表示する構成とした。すなわち、対象物に貼付された電子タグと無線で通信するためのアンテナユニットと、アンテナユニットを制御する制御装置とを具備し、非接触で電子タグのデータを読み取る非接触電子タグ読取装置のアンテナユニットに、電子タグに電波を送信するとともに電子タグからの電波を受信するための指向性のあるアンテナと、アンテナの指向性軸と並行するか、または、一致する光軸の照準光を投射するプロジェクタとを備え、プロジェクタに、電子タグのデータを対象物上に映写表示するための手段を備える構成とした。
【００１１】
アンテナユニットは、電子タグとの距離を測定する測距装置を備え、制御装置は、測距装置から距離情報を取得する手段と、プロジェクタの点灯消灯を距離に応じて制御する手段とを備える。プロジェクタは、照準光の焦点を対象物上に合わせるための合焦装置を備え、制御装置は、合焦装置を距離に従って制御して焦点を合わせる手段を備える。アンテナユニットは、頭部に固定するためのヘルメットを備える。
【発明の効果】
【００１２】
上記のように構成したことにより、電子タグの読取作業が簡単になる。
【発明を実施するための最良の形態】
【００１３】
以下、本発明を実施するための最良の形態について、図１〜図４を参照しながら詳細に説明する。
【実施例１】
【００１４】
本発明の実施例１は、プロジェクタの照準光で電子タグの読取範囲を示しながら、読み取ったタグ情報などをプロジェクタで映写表示する非接触電子タグ読取装置である。
【００１５】
図１は、本発明の実施例１における非接触電子タグ読取装置の概念図である。図１（ａ）は、非接触電子タグ読取装置の機能ブロック図である。図１（ｂ）は、非接触電子タグ読取装置の照準状態を示す図である。図１（ｃ）は、非接触電子タグ読取装置でタグ情報を映写表示した状態を示す図である。図１（ｄ）は、非接触電子タグ読取装置の動作手順を示す流れ図である。図１において、アンテナユニット１は、アンテナとプロジェクタを備えた読取ユニットである。アンテナ２は、電波を送受信する指向性アンテナである。ループアンテナやその他の指向性のあるアンテナを利用できる。プロジェクタ３は、照準光を投射し、タグ情報を対象物上に映写表示する手段である。照準光の光軸は、アンテナの指向性軸とほぼ一致している。プロジェクタ３としては、周知の液晶プロジェクタと同様のものが利用できる。その他の同様な機能の投影装置でもよい。制御装置４は、電子タグの読み取りを制御する電子回路である。電子タグ５は、非接触読取可能なICタグである。
【００１６】
上記のように構成された本発明の実施例１における非接触電子タグ読取装置の機能と動作を説明する。最初に、非接触電子タグ読取装置の機能の概要を説明する。アンテナユニット１のプロジェクタ３で、アンテナ２の指向性軸と一致する光軸の照準光を投射する。厳密に光軸を一致させることは困難であるので、電子タグ５の読み取りが十分可能な程度に一致させるか並行させればよい。利用者は、プロジェクタ３の照準光を電子タグ５に合わせる。アンテナユニット１のアンテナ２は、電子タグ５に電波を送信するとともに、電子タグ５からの電波を受信する。制御装置４の制御により、アンテナユニット１で電子タグ５と無線で通信して、非接触で電子タグ５のデータを読み取る。プロジェクタ３は、電子タグ５のデータを対象物上に映写表示する。電子タグ５のデータは、読み取ったデータでもよいし、読み取れた電子タグ５の枚数などでもよい。
【００１７】
次に、図１（ａ）を参照しながら、非接触電子タグ読取装置の各部の機能を説明する。アンテナユニット１には、アンテナ２とプロジェクタ３がある。アンテナ２で、電波を送信して、電子タグ５に誘導電力を発生させることで、動作電力を供給する。また、電子タグ５からの電波を受信する。プロジェクタ３で、照準光を電子タグ５に投射し、アンテナ２の指向性軸を電子タグ５に合わせるための手助けをする。また、電子タグ５から読み取ったデータなどのタグ情報を、電子タグ５が貼付された対象物の表面に映写表示する。制御装置４で、アンテナユニット１を制御して、電子タグ５のデータを読み取る。
【００１８】
次に、図１（ｂ）を参照しながら、照準機能について説明する。プロジェクタ３は、電子タグ５の読取可能範囲を示すための照準光を投射する。照準光は、円錐状に広がる光であり、適正に照射すれば、照射範囲が読取可能範囲とほぼ一致する。利用者は、非接触電子タグ読取装置を動かして照準を合わせてから、アンテナユニット１で、電子タグ５のデータを読み取る。
【００１９】
次に、図１（ｃ）を参照しながら、映写表示機能について説明する。アンテナユニット１で、電子タグ５のデータを読み取ってから、電子タグ５の読み取りに関する情報を、プロジェクタ３により、電子タグ５の読取可能範囲の中に映写表示する。図示のように、読み取り枚数を表示してもよいし、読み取ったデータを表示してもよい。
【００２０】
次に、図１（ｄ）を参照しながら、電子タグの読み取りの処理手順を説明する。利用者が照準を合わせた後、利用者の指示に応じて制御装置４の制御の下で、アンテナユニット１により電子タグ５からタグ情報を読み取る。読み取ったタグ情報を、プロジェクタ３により、対象物の上に映写表示する。タグ情報を読み取りは、照準が合って読み取り可能となった時点で自動的に開始するようにしてもよい。また、映写表示は、複数の情報を順次変えて繰り返し表示する方法でもよい。
【００２１】
上記のように、本発明の実施例１では、非接触電子タグ読取装置を、プロジェクタの照準光で電子タグの読取範囲を示しながら、読み取ったタグ情報などをプロジェクタで映写表示する構成としたので、電子タグの読取作業が簡単になる。
【実施例２】
【００２２】
本発明の実施例２は、電子タグとの交信可能範囲内にあるとき、プロジェクタの照準光で電子タグの読取範囲を示しながら、読み取ったタグ情報などをプロジェクタで映写表示する非接触電子タグ読取装置である。
【００２３】
図２は、本発明の実施例２における非接触電子タグ読取装置の概念図である。図２（ａ）は、非接触電子タグ読取装置の機能ブロック図である。図２（ｂ）は、非接触電子タグ読取装置の照準状態を示す図である。図２（ｃ）は、非接触電子タグ読取装置が、電子タグとの交信可能範囲内にない非照準状態を示す図である。図２（ｄ）は、非接触電子タグ読取装置の動作手順を示す流れ図である。図２において、測距装置６は、電子タグまでの距離を測定する手段である。超音波を使った測距手段などの周知のものを利用できる。その他の基本的な構成は、実施例１と同様である。
【００２４】
上記のように構成された本発明の実施例２における非接触電子タグ読取装置の機能と動作を説明する。最初に、非接触電子タグ読取装置の機能の概要を説明する。アンテナユニット１の測距装置６で、電子タグ５との距離を測定する。交信可能範囲内であれば、アンテナユニット１のプロジェクタ３で、アンテナ２の指向性軸と一致する光軸の照準光を投射する。利用者は、プロジェクタ３の照準光を電子タグ５に合わせる。アンテナユニット１のアンテナ２は、電子タグ５に電波を送信するとともに、電子タグ５からの電波を受信する。制御装置４の制御により、アンテナユニット１で電子タグ５と無線で通信して、非接触で電子タグ５のデータを読み取る。プロジェクタ３は、電子タグ５のデータを映写表示する。
【００２５】
次に、図２（ａ）を参照しながら、非接触電子タグ読取装置の各部の機能を説明する。アンテナユニット１には、アンテナ２とプロジェクタ３と測距装置６がある。測距装置６は、制御装置４の制御の下で、電子タグ５までの距離を測定する。制御装置４で、測距装置６から距離情報を取得する。電子タグ５との距離が、交信可能範囲内であればプロジェクタ３を点灯し、交信可能範囲外であればプロジェクタ３を消灯するように、プロジェクタ３の点灯消灯を距離に応じて制御する。アンテナ２とプロジェクタ３の機能は、実施例１と同様である。
【００２６】
次に、図２（ｂ）を参照しながら、電子タグが交信可能範囲内にある場合を説明する。測距装置６で電子タグ５までの距離を測定して、電子タグ５が交信可能範囲内にあれば、制御装置４の制御の下で、プロジェクタ３は、電子タグ５の読取可能範囲を示す照準光を投射する。利用者は、非接触電子タグ読取装置を動かして照準を合わせてから、アンテナユニット１で、電子タグ５のデータを読み取る。図示していないが、実施例１と同様に、タグ読取範囲内に、電子タグより読み取った情報などを、プロジェクタ３で映写表示する。
【００２７】
次に、図２（ｃ）を参照しながら、電子タグが交信可能範囲内にない場合を説明する。電子タグ５までの距離が、アンテナ２と電子タグ５との交信可能範囲を超えた場合、制御装置４はプロジェクタ３を消灯して、電子タグ５の読み取りが不可能となったことを示す。全く消灯するようにしてもよいが、照準操作がし易いように、プロジェクタ３を点滅させて、電子タグ５が交信可能範囲内にないことを知らせてもよい。あるいは逆に、電子タグ５が交信可能範囲内に入ったとき、プロジェクタ３を点滅させて、交信可能であることを知らせるようにしてもよい。
【００２８】
次に、図２（ｄ）を参照しながら、電子タグの読み取りの処理手順を説明する。測距装置６で電子タグ５までの距離を測定する。制御装置４は、測距装置６から距離情報を取得して、交信可能距離より遠ければ、プロジェクタ３を消灯する。近ければプロジェクタ３を点灯する。利用者が照準を合わせた後、利用者の指示に応じて制御装置４の制御の下で、アンテナユニット１により電子タグ５からタグ情報を読み取る。読み取ったタグ情報を、プロジェクタ３により、対象物の上に映写表示する。一定時間待機して、距離情報の取得から繰り返す。
【００２９】
上記のように、本発明の実施例２では、非接触電子タグ読取装置を、電子タグとの交信可能範囲内にあるとき、プロジェクタの照準光で電子タグの読取範囲を示しながら、読み取ったタグ情報などをプロジェクタで映写表示する構成としたので、電子タグの読取作業が簡単になる。
【実施例３】
【００３０】
本発明の実施例３は、電子タグとの交信可能範囲内にあるとき、プロジェクタの照準光の焦点を対象物上に合わせて、電子タグの読取範囲を示しながら、読み取ったタグ情報などをプロジェクタで映写表示する非接触電子タグ読取装置である。
【００３１】
図３は、本発明の実施例３における非接触電子タグ読取装置の概念図である。図３（ａ）は、非接触電子タグ読取装置の機能ブロック図である。図３（ｂ）は、非接触電子タグ読取装置の照準状態を示す図である。図３（ｃ）は、非接触電子タグ読取装置の動作手順を示す流れ図である。図３において、合焦装置７は、プロジェクタの照準光の焦点を対象物上に合わせる手段である。周知の自動焦点手段などを利用できる。その他の基本的な構成は、実施例２と同様である。
【００３２】
上記のように構成された本発明の実施例３における非接触電子タグ読取装置の機能と動作を説明する。最初に、非接触電子タグ読取装置の機能の概要を説明する。アンテナユニット１の測距装置６で、電子タグ５との距離を測定する。交信可能範囲内であれば、アンテナユニット１のプロジェクタ３で、アンテナ２の指向性軸と一致する光軸の照準光を投射する。このとき、制御装置４は合焦装置７を距離に応じて制御して、プロジェクタ３の照準光の焦点を、対象物上に合わせる。利用者は、プロジェクタ３の照準光を電子タグ５に合わせる。アンテナユニット１のアンテナ２は、電子タグ５に電波を送信するとともに、電子タグ５からの電波を受信する。制御装置４の制御により、アンテナユニット１で電子タグ５と無線で通信して、非接触で電子タグ５のデータを読み取る。プロジェクタ３は、電子タグ５のデータを映写表示する。
【００３３】
次に、図３（ａ）を参照しながら、非接触電子タグ読取装置の各部の機能を説明する。アンテナユニット１には、アンテナ２とプロジェクタ３と測距装置６がある。プロジェクタ３には合焦装置７がある。制御装置４で、測距装置６から距離情報を取得する。電子タグ５との距離が、交信可能範囲内であればプロジェクタ３を点灯し、交信可能範囲外であればプロジェクタ３を消灯するように、プロジェクタ３の点灯消灯を距離に応じて制御する。交信可能範囲内のとき、制御装置４はさらに、合焦装置７を制御して、プロジェクタ３の照準光の焦点を、対象物上に合わせる。アンテナ２とプロジェクタ３と測距装置６の機能は、実施例２と同様である。
【００３４】
次に、図３（ｂ）を参照しながら、電子タグが交信可能範囲内にある場合を説明する。測距装置６で電子タグ５までの距離を測定して、電子タグ５が交信可能範囲内にあれば、制御装置４の制御の下で、プロジェクタ３は、電子タグ５の読取可能範囲を示す照準光を、合焦装置７で焦点を対象物上に合わせて投射する。利用者は、非接触電子タグ読取装置を動かして照準を合わせてから、アンテナユニット１で、電子タグ５のデータを読み取る。図示していないが、実施例１と同様に、タグ読取範囲内に、電子タグ５から読み取った情報などを、プロジェクタ３で映写表示する。作業中に非接触電子タグ読取装置を移動させること等があって、プロジェクタ３から対象物までの距離が変化した場合においても、自動的に焦点を合わせることができ、タグ情報を常に明瞭に映写表示できる。
【００３５】
次に、図３（ｃ）を参照しながら、電子タグの読み取りの処理手順を説明する。測距装置６で電子タグ５までの距離を測定する。制御装置４は、測距装置６から距離情報を取得して、交信可能距離より遠ければ、プロジェクタ３を消灯して、電子タグ５の読み取りが不可能となったことを知らせる。近ければ、焦点を対象物上に合わせてプロジェクタ３を点灯する。利用者が照準を合わせた後、利用者の指示に応じて制御装置４の制御の下で、アンテナユニット１により電子タグ５からタグ情報を読み取る。読み取ったタグ情報を、プロジェクタ３により、対象物の上に映写表示する。一定時間待機して、距離情報の取得から繰り返す。
【００３６】
上記のように、本発明の実施例３では、非接触電子タグ読取装置を、電子タグとの交信可能範囲内にあるとき、プロジェクタの照準光の焦点を対象物上に合わせて、電子タグの読取範囲を示しながら、読み取ったタグ情報などをプロジェクタで映写表示する構成としたので、電子タグの読取作業が簡単になる。
【実施例４】
【００３７】
本発明の実施例４は、電子タグとの交信可能範囲内にあるとき、プロジェクタの照準光の焦点を対象物上に合わせて、電子タグの読取範囲を示しながら、読み取ったタグ情報などをプロジェクタで映写表示するヘルメット型の非接触電子タグ読取装置である。
【００３８】
図４は、本発明の実施例４における非接触電子タグ読取装置の概念図である。図４において、ヘルメット８は、非接触電子タグ読取装置のアンテナユニットを利用者の頭部に装着するとともに頭部を保護する手段である。その他の基本的な構成は、実施例３と同様である。
【００３９】
上記のように構成された本発明の実施例４における非接触電子タグ読取装置の機能と動作を説明する。最初に、ヘルメット型の非接触電子タグ読取装置の機能の概要を説明する。ヘルメット８に装着したアンテナユニット１の測距装置６で、電子タグ５との距離を測定する。交信可能範囲内であれば、アンテナユニット１のプロジェクタ３で、アンテナ２の指向性軸と一致する光軸の照準光を投射する。このとき、制御装置４は合焦装置７を距離に応じて制御して、プロジェクタ３の照準光の焦点を、対象物上に合わせる。利用者は、プロジェクタ３の照準光を電子タグ５に合わせる。アンテナユニット１のアンテナ２は、電子タグ５に電波を送信するとともに、電子タグ５からの電波を受信する。制御装置４の制御により、アンテナユニット１で電子タグ５と無線で通信して、非接触で電子タグ５のデータを読み取る。プロジェクタ３は、電子タグ５のデータを映写表示する。
【００４０】
次に、図４を参照しながら、ヘルメット型の非接触電子タグ読取装置の動作を説明する。ヘルメット８で、利用者の頭部を保護するとともに、アンテナユニット１を手に持たずに作業ができるように保持する。また、電子タグ５の読取範囲とタグ情報を、常に装着者の視線方向に表示する。ヘルメット８に装着したアンテナユニット１の測距装置６で、電子タグ５までの距離を測定する。制御装置４は、測距装置６から距離情報を取得して、プロジェクタ３の点灯消灯と焦点を制御する。電子タグ５までの距離が、アンテナ２と電子タグ５との交信可能範囲を超えた場合、プロジェクタ３を消灯して、電子タグ５の読み取りが不可能となったことを知らせる。
【００４１】
電子タグ５が読取範囲内にあれば、プロジェクタ３は、タグ読取範囲を示す照準光を、焦点を対象物上に合わせて照射する。利用者は、頭を動かして照準を合わせてから、アンテナユニット１で、電子タグ５のデータを読み取る。図示していないが、実施例１と同様に、タグ読取範囲内に、電子タグ５より読み取った情報などを、プロジェクタ３で映写表示する。作業中に頭を動かすこと等があって、プロジェクタ３から対象物までの距離が変化した場合においても、自動的に焦点を合わせることができ、タグ情報を常に明瞭に映写表示できる。
【００４２】
上記のように、本発明の実施例４では、アンテナユニットをヘルメットに保持して、電子タグとの交信可能範囲内にあるとき、プロジェクタの照準光の焦点を対象物上に合わせて、電子タグの読取範囲を示しながら、読み取ったタグ情報などをプロジェクタで映写表示する構成としたので、電子タグの読取作業が簡単になる。
【産業上の利用可能性】
【００４３】
本発明の非接触電子タグ読取装置は、大きな対象物に設けた非接触電子タグを読み取る装置として最適である。
【図面の簡単な説明】
【００４４】
【図１】本発明の実施例１における非接触電子タグ読取装置の概念図である。
【図２】本発明の実施例２における非接触電子タグ読取装置の概念図である。
【図３】本発明の実施例３における非接触電子タグ読取装置の概念図である。
【図４】本発明の実施例４における非接触電子タグ読取装置の概念図である。
【図５】従来の非接触電子タグ読取装置の概念図である。
【符号の説明】
【００４５】
１  アンテナユニット
２  アンテナ
３  プロジェクタ
４  制御装置
５  電子タグ
６  測距装置
７  合焦装置
８  ヘルメット
【図１】
2009169595.tif 000003
【図２】
2009169595.tif 000004
【図３】
2009169595.tif 000005
【図４】
2009169595.tif 000006
【図５】
2009169595.tif 000007